(57)【要約】【課題】生産コストや搬送コストなどのコスト面に秀れ、且つ秀れた収納性を有し、物流業界における在庫の収納・管理コストの削減に多大に貢献し得る画期的な技術の提供。【解決手段】段ボール箱などの箱状体を収納する収納具であって、プラスチック段ボール製にして平板状の板材１を、左右を折曲してコ字状に折り曲げ変形自在とし、このコ字状に折り曲げ変形した板材１の左右の脚板部２間の天板部３に補強用板材４を付設してこの天板部３上に前記箱状体を載置保持し得る強度に設定し、且つ、このコ字状に折り曲げ変形した板材１の左右の脚板部２を設置面に設置した際にこの設置面とこのコ字状の板材１とで囲繞される収納空間ｓに前後方向から前記設置面に沿って出し入れ自在に前期箱状体を収納配設し得ると共にこの収納空間ｓの内面の底部及び天部はこの収納空間ｓ内の箱状体の近接位置に設けられるように板体１の形状を設定する。【選択図】図１
2008155919.tif 000002
【特許請求の範囲】
【請求項１】
箱状体を収納するための収納具であって、プラスチック段ボール製にして平板状の板材を、左右を折曲してコ字状に折り曲げ変形自在に構成し、このコ字状に折り曲げ変形した板材の左右の脚板部間の天板部には補強用板材を付設して、このコ字状に折り曲げ変形した板材の左右の脚板部を設置面に設置した状態で前記補強用板材が付設された天板部上に前記箱状体を載置保持し得る強度に設定し、且つ、このコ字状に折り曲げ変形した板材の左右の脚板部を設置面に設置した際にこの設置面とこのコ字状の板材とで囲繞される収納空間に前後方向から前記設置面に沿って出し入れ自在に前記箱状体を収納配設し得ると共にこの収納空間の内面の底部及び天部がこの収納空間に収納配設する前記箱状体の近接位置に設けられるように前記板材の前記コ字状に折り曲げ変形した際の形状を設定したことを特徴とする収納具。
【請求項２】
前記板材の板面に熱Ｖ罫線加工によりＶ字凹溝状の折り縁を設けて、この折り縁を介して前記板材の左右を折曲してコ字状に折り曲げ変形自在に構成したことを特徴とする請求項１記載の収納具。
【請求項３】
前記板材の天板部に付設する補強用板材は、コ字状に折り曲げ変形した板材の前記天板部上に前記箱状体を載置保持した際にこの天板部の左右方向中央部が下方に撓み変形することを阻止すべく、この天板部の左右方向中央部から左右方向両端側近接位置まで至る左右方向長さを有する形状に構成したことを特徴とする請求項１，２のいずれか１項に記載の収納具。
【請求項４】
前記補強用板材は、平板材を前記板材の天板部の前後方向縁部に嵌め込み可能なコ字状に形成して成る構成としたことを特徴とする請求項３記載の収納具。
【請求項５】
前記板材を構成するプラスチック段ボールの目方向を、この板材の左右方向に長い方向に設定したことを特徴とする請求項１〜４のいずれか１項に記載の収納具。
【請求項６】
前記板材の左右いずれか一方の脚板部と、この板材とは異なる他の板材の左右いずれか他方の脚板部とを互いに板面を対向させて張り合わせ状態に止着固定した構成、若しくは互いに板面を対向させた脚板部同志を張り合わせ状態に止着固定する止着固定手段を前記脚板部に設けた構成とし、コ字状に折り曲げ変形した板材が左右方向に並設配設されるように構成したことを特徴とする請求項１〜５記載の収納具。
【請求項７】
請求項１〜６のいずれか１項に収納具を用いた箱状体収納棚において、縦材間に架設される横材上にコ字状に折り曲げ変形した前記板材を設置し、このコ字状の板材の収納空間に箱状体を収納配設し且つこのコ字状の板材の天板部上に箱状体を載置保持することで前記横材上に前記コ字状の板材により前記箱状体を上下二段に収納配設でき得るように構成したことを特徴とする箱状体収納棚。
【発明の詳細な説明】
【技術分野】
【０００１】
本発明は、例えば段ボール箱などの箱状体を収納する場合に用いる収納具及び箱状体収納棚に関する。
【背景技術】
【０００２】
従来から、物流業界においては、数多くの在庫の保管に多くのコストを要している。即ち、これら数多くの在庫を保管できるだけの広大な敷地面積の倉庫を多数確保するために、自社倉庫の建築費や、或いは貸し倉庫の賃貸費など多くのコストを要するためである。
【０００３】
従って、この在庫の保管コストの削減は、ひいては物流コスト全体の削減に多いに貢献するこの種の業界における重要な課題とされている。
【０００４】
そこで、従来から、倉庫内の限られたフロアスペースに如何にして収納効率良く多数の在庫を収納・保管し得るかの技術が種々提案されている（例えば、特開平７−２６７３１３号公報など）。
【０００５】
つまり、広大な敷地面積を有する倉庫において、単位スペース辺りの収納効率を向上することにより、倉庫全体では非常に多数の在庫をより多く収納・保管できることとなり、よって、この収納効率の向上は、前述した在庫の保管コストの削減を図る上で重要視されるものである。
【０００６】
【特許文献１】特開平７−２６７３１３号公報
【発明の開示】
【発明が解決しようとする課題】
【０００７】
本出願人は、このように数多くの在庫を収納し保管する倉庫では、一般に予めサイズの決まっている段ボール箱に在庫商品を入れ、この段ボール箱を、前記倉庫内に多数設置した収納棚、即ち、図８（ｂ）に図示したように縦材６間に上下多段に横材７（棚板）を架設配設して成る収納棚の適宜な横材７上に載置収納して保管していることに着目し、更にこのように収納棚を使用して段ボール箱（在庫）を多数収納・保管する方法の場合、例えば図８（ｂ）に図示したように、最上段に位置する横材７上に載置収納した段ボール箱と、フロア天井との間に無駄なデッドスペースが生じてしまい、このデッドスペースのぶんだけ倉庫の限られたフロアスペースを無駄にしている場合がこの種の倉庫において多々あることに着眼して完成したこれまでにない作用効果を発揮する画期的な収納具及び箱状体収納棚を開発した。
【課題を解決するための手段】
【０００８】
添付図面を参照して本発明の要旨を説明する。
【０００９】
箱状体ａを収納するための収納具であって、プラスチック段ボール製にして平板状の板材１を、左右を折曲してコ字状に折り曲げ変形自在に構成し、このコ字状に折り曲げ変形した板材１の左右の脚板部２間の天板部３には補強用板材４を付設して、このコ字状に折り曲げ変形した板材１の左右の脚板部２を設置面に設置した状態で前記補強用板材４が付設された天板部３上に前記箱状体ａを載置保持し得る強度に設定し、且つ、このコ字状に折り曲げ変形した板材１の左右の脚板部２を設置面に設置した際にこの設置面とこのコ字状の板材１とで囲繞される収納空間ｓに前後方向から前記設置面に沿って出し入れ自在に前記箱状体ａを収納配設し得ると共にこの収納空間ｓの内面の底部及び天部がこの収納空間ｓに収納配設する前記箱状体ａの近接位置に設けられるように前記板材１の前記コ字状に折り曲げ変形した際の形状を設定したことを特徴とする収納具に係るものである。
【００１０】
また、前記板材１の板面に熱Ｖ罫線加工によりＶ字凹溝状の折り縁５を設けて、この折り縁５を介して前記板材１の左右を折曲してコ字状に折り曲げ変形自在に構成したことを特徴とする請求項１記載の収納具に係るものである。
【００１１】
また、前記板材１の天板部３に付設する補強用板材４は、コ字状に折り曲げ変形した板材１の前記天板部３上に前記箱状体ａを載置保持した際にこの天板部３の左右方向中央部が下方に撓み変形することを阻止すべく、この天板部３の左右方向中央部から左右方向両端側近接位置まで至る左右方向長さを有する形状に構成したことを特徴とする請求項１，２のいずれか１項に記載の収納具に係るものである。
【００１２】
また、前記補強用板材４は、平板材を前記板材１の天板部３の前後方向縁部に嵌め込み可能なコ字状に形成して成る構成としたことを特徴とする請求項３記載の収納具に係るものである。
【００１３】
また、前記板材１を構成するプラスチック段ボールの目方向を、この板材１の左右方向に長い方向に設定したことを特徴とする請求項１〜４のいずれか１項に記載の収納具に係るものである。
【００１４】
また、前記板材１の左右いずれか一方の脚板部２と、この板材１とは異なる他の板材１の左右いずれか他方の脚板部２とを互いに板面を対向させて張り合わせ状態に止着固定した構成、若しくは互いに板面を対向させた脚板部２同志を張り合わせ状態に止着固定する止着固定手段Ｔを前記脚板部２に設けた構成とし、コ字状に折り曲げ変形した板材１が左右方向に並設配設されるように構成したことを特徴とする請求項１〜５記載の収納具に係るものである。
【００１５】
また、請求項１〜６のいずれか１項に収納具を用いた箱状体収納棚において、縦材６間に架設される横材７上にコ字状に折り曲げ変形した前記板材１を設置し、このコ字状の板材１の収納空間ｓに箱状体ａを収納配設し且つこのコ字状の板材１の天板部３上に箱状体ａを載置保持することで前記横材７上に前記コ字状の板材１により前記箱状体ａを上下二段に収納配設でき得るように構成したことを特徴とする箱状体収納棚に係るものである。
【発明の効果】
【００１６】
本発明は上述のように構成したから、コ字状に折り曲げ変形した板材の脚板部を設置面に設置して、このコ字状の板材の天板部上に箱状体を載置配設できると共にこのコ字状の板材と設置面とで囲繞される収納空間に箱状体を出し入れ自在に収納配設できる。
【００１７】
また、設置面に設置したコ字状の板材に上下二段に箱状体が収納（載置）できるから、例えば縦材間に横材を架設してこの横材上に箱状体を載置収納する箱状体収納棚において、各収納棚段毎に夫々横材を架設せずとも、一段分の横材に対して本発明を用いれば二段に箱状体を収納できる（尚、ただ単に一段の横材上に箱状体を二段に段積みするのでは、取り出しが厄介（段積みした下段の箱状体の取り出しが厄介）なうえに、下段の箱状体に上段の箱状体の荷重が付与されるのでこの下段の箱状体又はその内容物の変形や破損の懸念がありこの種の収納棚としては致命的である。）。
【００１８】
このように、本発明を載置すれば一段分の横材に上下二段に箱状体を収納できるから、不要となった横材の厚みのぶんだけ、これまでより余分に上下の収納スペースを確保できる（不要となった横材に替わり、コ字状の本発明の天板部及び補強用板材の厚みが加わるが、この種の収納棚の横材（棚板）に比して一般的なプラスチック段ボールの厚みは十分に薄く、よって前記の余分な上下の収納スペースは確実に確保される。）。
【００１９】
つまり、それだけ横材の厚みにより無駄にしていた上下方向のスペースを収納スペースとして確保することができるから、例えば設置面（底面）から天部までの高さが決まっている室内スペースなどにおいて、その高さスペースをこれまでになくより効率的に収納用のスペースとして利用できるなど、例えば前述したような箱状体収納棚の収納効率の向上に貢献でき得る極めて秀れた収納性を有し、更に、板材は薄くて強度の高いプラスチック段ボール製であるが故に、十分な強度（保形強度）を良好に確保できる。
【００２０】
よって、本発明は、コ字状の板体により箱状体を上下二段に良好に収納（載置）でき、例えば前述したような箱状体収納棚の収納効率の向上に貢献することも可能な秀れた収納性を有し、しかも、運搬性に秀れる，簡易構造故にコスト安にして量産性に秀れるなど、秀れた実用性を有する画期的で商品価値の高い収納具となる。
【００２１】
また、請求項２記載の発明においては、Ｖ字凹溝状の折り縁を介して板材をより簡単且つ良好にコ字状に折り曲げ変形できる実用性に秀れた収納具となる。
【００２２】
また、請求項３，４、５記載の発明においては、簡易構成で、本発明のコ字状に折り曲げ変形した板材の天板部上に箱状体を載置した際に天板部が撓み変形して破損することのない十分な強度（保形強度）を確保でき得る構造を実現でき、量産性やコスト性に秀れた収納具となる。
【００２３】
また、請求項６記載の発明においては、コ字状に折り曲げ変形した板材が左右方向に並設配設できる構成となるので、より多数の箱状体の収納に好適であると共に、更に各板材の脚板部同志を止着固定している為、この脚板部の鉛直荷重に対する耐変形性（強度）アップを図り得、ひいては、コ字状に折り曲げ変形した板材１の保形強度の向上を図り得るなど、収納性及び実用性に秀れた収納具となる。
【００２４】
また、請求項７記載の発明においては、請求項１〜６のいずれか１項に記載の発明に係るコ字状の板体を、縦材間に架設される横材に設置することで、この横材上に上下二段に箱状体を載置収納でき（即ち、一段分の横材で、横材二段分に相当する収納が可能で）、よって、それだけ横材を各収納棚段毎に架設せずに済みそれだけ横材の数を減らすことができる。よって、この減らした横材の厚みの分、本発明を設置する設置空間における限られた上下スペースをより効率的に収納用のスペースとして利用でき、それだけこれまでになく高い収納効率を実現することも可能な画期的な箱状体収棚となる。
【発明を実施するための最良の形態】
【００２５】
好適と考える本発明の実施形態（発明をどのように実施するか）を、図面に基づいて本発明の作用を示して簡単に説明する。
【００２６】
本発明は、プラスチック段ボール製にして平板状の板材１の左右の脚板部２間の天板部３に補強用板材４を付設して適宜な強度を確保し、これにより、板材１の左右を折曲してコ字状に折り曲げ変形し、このコ字状に折り曲げ変形した板材１の左右の脚板部２を設置面に設置した状態で、この脚板部２間の天板部３上に箱状体ａを載置保持できることとなる。
【００２７】
またこの際、前記設置面とこのコ字所の板材１とで囲繞される収納空間ｓに前後方向から前記設置面に沿って出し入れ自在に前記箱状体ａを収納配設できる。
【００２８】
従って、本発明は、板材１をコ字状に折り曲げ変形して左右の脚板部２を設置面に設置することで、このコ字状の板材１と設置面とで囲繞される前記収納空間ｓと、この板材１の天板部３上に夫々箱状体ａを上下多段に適宜収納配設できる。
【００２９】
更に、本発明は前述の通り、プラスチック段ボールで板材１を構成しているため、薄くて軽量でありながら強度が高く、それ故、この板材１の天板部３に例えばアルミ板などの補強用板材４を付設すれば容易に十分な保形強度が得られる（特に、例えば板材１を構成するプラスチック段ボールの目方向をこの板材１の左右方向に長い方向に設定すれば、コ字状に折り曲げ変形した際の左右の脚板部２の鉛直加重に対する秀れた強度を容易に確保でき、一層保形硬度に秀れた構成とできる）構成でありながら、簡易構成にしてプラスチック段ボール自体が安価故に、量産性やコスト性に秀れる。更に例えば板材１をコ字状に折り曲げ変形した状態から扁平状に折り広げ変形させることも容易で、よって運搬時には板材１を扁平状に折り広げて多数段積みしてスペースが嵩張らず良好に運搬でき運搬性にも秀れるなど、実用上の種々の作用効果を奏することとなる（単に強度の秀れた金属板をコ字状に折り曲げ加工して成る構成では、どうしてもプラスチック段ボール製の本発明より生産コストが高く、また扁平状に折り広げも出来ず運搬も場所が嵩張り運搬コストが高いなど、実用性に劣るものである。）。
【００３０】
また、例えば、図８（ｂ）に図示したように、縦材６間に横材７を架設してこの横材７上に箱状体ａを収納配設する一般的な箱状体収納棚においては、各収納棚段毎に横材７を架設しているが、これに対して、横材７に本発明のコ字状の板材１を設置すれば、横材７の上面（設置面）とコ字状の板材１とで囲繞される収納空間ｓと、この板材１の天板部３上に箱状体ａを収納若しくは載置でき、よって横材７上に上下二段に箱状体ａを収納でき得ることとなる（図８（ａ）参照）。よって、各横材７に上下二段に箱状体ａを収納できるぶん、本発明を使用した場合と使用しない場合とでは、本発明を使用した場合は横材７の架設数が少なくすみ、それだけ（この不要となった横材７の厚みのぶんだけ）上下方向に余計な収納スペースを確保できる（不要となった横材７の厚みに替わり、コ字状の板材１の天板部３とこの天板部３に付設した補強用板材４との厚みが加わるが、この種の棚の横材７に比して一般的なプラスチック段ボールの厚みは各段に薄く、よって、本発明を使用し横材７の架設数を減らした場合には前記上下方向の余計な収納スペースが確実に生ずることとなる）。
【００３１】
従って、この余計に確保できた収納スペースを使用して、上下スペースが限られた状況においても、単に各収納棚毎に横材７を架設する慣例種方（図８（ｂ）参照）に比して、本発明は例えば一段余計に収納棚段を確保する（図８（ａ）参照）ことも可能であるなど、この種の収納棚の収納効率の向上を図ることも可能となるなど、秀れた収納性及び実用性を有することとなる。
【００３２】
尚、本発明は、例えば、前記板材１の左右いずれか一方の脚板部２と、この板材１とは異なる他の板材１の左右いずれか他方の脚板部２とを互いに板面を対向させて張り合わせ状態に止着固定した構成、若しくは互いに板面を対向させた脚板部２同志を張り合わせ状態に止着固定する止着固定手段Ｔを前記脚板部２に設けた構成としても良く、この場合には、コ字状に折り曲げ変形した板材１が左右方向に並設配設され、その各収納空間ｓ及び天板部３上に夫々、箱状体ａを良好に収納でき、例えば前述の箱状体収納棚に用いる収納具として好適であることは勿論、脚板部２同志が張り合わせ状態となっているので、この脚板部２の鉛直加重に対する強度に秀れることとなり保形強度に一層秀れることとなる。
【実施例】
【００３３】
本発明の具体的な実施例について図面に基づいて説明する。
【００３４】
本実施例は、箱状体ａを収納するための収納具であって、図７及び図８に図示したように、予めサイズが決まっているダンボール箱などの箱状体ａを多数収納する箱状体収納棚に用いる収納具を例に説明する。
【００３５】
本実施例の収納具は、プラスチック段ボール製にして平板状の板材１を、左右を折曲してコ字状に折り曲げ変形自在に構成し、このコ字状に折り曲げ変形した板材１の左右の脚板部２間の天板部３には補強用板材４を付設して、このコ字状に折り曲げ変形した板材１の左右の脚板部２を設置面に設置した状態で前記補強用板材４が付設された天板部３上に前記箱状体ａを載置保持し得る強度に設定し、且つ、このコ字状に折り曲げ変形した板材１の左右の脚板部２を設置面に設置した際にこの設置面とこのコ字状の板材１とで囲繞される収納空間ｓに前後方向から前記設置面に沿って出し入れ自在に前記箱状体ａを収納配設し得ると共にこの収納空間ｓの内面の底部及び天部がこの収納空間ｓに収納配設する前記箱状体ａの近接位置に設けられるように前記板材１の前記コ字状に折り曲げ変形した際の形状を設定したものである。
【００３６】
詳述すると、板材１は、この板材１を構成するプラスチック段ボールの目方向に長い長方形状の平板状であり、その長さ方向中央部を介して左右所定位置に前記目方向と直交する折り縁５を介して、図１に図示したように、コ字状に折り曲げ変形自在に構成したものである。
【００３７】
従って、板材１をコ字状に折り曲げ変形した際に、この板材１の左右の脚板部２の目方向が上下方向となり、脚板部２の鉛直荷重に対する強度に秀れる構成である。
【００３８】
また、この板材１の左右の折り縁５は、図２（ａ）に図示したように、板材１の板面に熱Ｖ罫線加工によりＶ字凹溝状の折り縁５を設けて、この折り縁５を介して図２（ｂ）に図示したように、前記板材１の左右を折曲して良好にコ字状に折り曲げ変形でき、またこの折り縁５を介して図２（ａ）に図示したように、扁平状に折り広げ変形できるように構成している。
【００３９】
尚、この板材１の左右の折り縁５は、板材１の長さ方向両端部から中央部に向けて所定距離だけ進んだ位置にこの板材１の目方向と直交する方向に熱Ｖ罫線加工によりＶ字凹溝状の折り縁５を形成して設けたもので、図１に図示したように、左右の折り縁５を介してコ字状に折り曲げ変形した際に左右の脚板部２が等しい高さ寸法となり、且つこの左右の脚板部２間の天板部３が、前記脚板部２を設置した設置面に対して平行となるように構成している。また、コ字状の板材１を設置面に設置しこの設置面とコ字状の板材１とで囲繞する収納空間ｓに前記箱状体ａ（予めサイズが決定している段ボール箱など）を収納した際に、この収納空間ｓの底部（設置面）と天部（板材１の天板部３の下面）とがこの箱状体ａに近接位置に設けられるように、即ち、この収納空間ｓの高さ寸法と前記箱状体ａの高さ寸法とが略等しくなるように、左右の各脚板部２の高さ寸法を設定（即ち、折り縁５の形成位置を設定）している。
【００４０】
また、板材１を長方形状にして扁平状に折り広げた際の板幅は、箱状体ａの奥行き寸法よりやや長い板幅に設定し、この板材１をコ字状に折り曲げ変形した際に、図４に図示したように、このコ字状の板材１の奥行き寸法（図４中、左右方向の寸法）が前記箱状体ａの奥行き寸法よりやや長くなるように設定している。
【００４１】
また、このコ字状の板材１を設置面に設置して収納空間ｓに箱状体ａを収納した際に、前述の通り、上下方向の寸法は収納空間ｓと箱状体ａとで略合致する寸法に設定しているが、収納空間ｓの幅寸法（脚板部２間の対向間隔）は、箱状体ａを収納空間ｓに出し入れ容易となるように左右に前記箱状体ａの幅寸法より大きく、余裕（例えば指などを差し入れる隙間）の有るる寸法としている。具体的には、箱状体ａの幅寸法よりもやや大きい収納空間ｓの幅寸法としても良いし、例えば、図７中，右下方位置に図示したもののように、一体のコ字状の板材１と設置面とで囲繞する収納空間ｓに左右に二体の箱状体ａを収納できるようにコ字状の板材１の幅寸法を設定しても良い（しかし、この場合、天板部３も、この天板部３を支える脚板部２間の間隔が左右に長い寸法と成ってしまうので撓み変形が生じ易く、より強度の高い補強用板材４が必須となる。）。
【００４２】
この板材１の天板部３に付設する補強用板材４は、コ字状に折り曲げ変形した板材１の前記天板部３上に前記箱状体ａを載置保持した際にこの天板部３の左右方向中央部が下方に撓み変形することを阻止すべく、この天板部３の左右方向中央部から左右方向両端側近接位置まで至る左右方向長さを有する形状に構成している。
【００４３】
具体的には、補強用板材４は、図１及び図３に図示したように、平板材を前記板材１の天板部３の前後方向縁部に嵌め込み可能なコ字状に形成して成る構成である。
【００４４】
更に具体的には、この補強用板材４は、アルミを前記天板部３の幅寸法よりやや短いコ字型アングル形状に形成したものを採用し、この補強用板材４をコ字状の板材１の天板部３の前後方向両縁部に夫々嵌め込み配設し、図３に図示したように、対向するコ字片板間に止着ピン８を架設状態に止着固定してこのコ字状の補強用板材４を前記板材１の天板部３に止着固定し、この補強用板材４を嵌合止着した天板部３に箱状体ａを載置した際に、箱状体ａの底面が、図４に図示したように前記一対の補強用板材４間に架設状態に支承されるように構成している。
【００４５】
このように、天板部３の前後方向両縁部にコ字状の補強用板材４を嵌合止着することで、この天板部３に箱状体ａを載置した際にもこの天板部３の中央部が下方に撓み変形することのない強度に設定している。
【００４６】
尚、この天板部３の前後両縁部に設ける二体の補強用板材４のうち少なくとも一方の補強用板材４の前記天板部３の上面に沿設することとなるコ字片板の端縁を、図１及び図３に図示したように、テーパ形状（天板部３の上面からこの補強用板材４の上面に向けて登り傾斜するテーパ形状）に形成している。従って、天板部３に沿って箱状体ａをスライド移動させつつこの天板部３上に箱状体ａを載置する際に、図３に図示したように、コ字片板の端縁にテーパ形状を有する補強用板材４が嵌合止着されている側（図４中，左側）に向けて箱状体ａをスライド移動させることで、この箱状体ａが補強用板材４の端縁のテーパ形状により良好にこの補強用板材４上面に乗り上がり、箱状体ａを作業性良くこの天板部３上に載置させることができ、また反対に、天板部３上に載置した箱状体ａを取り出しスライド移動させる際には取り出し側（図４中，右側）の補強用板材４上面に箱状体ａが乗り上がる必要がなく、よって、この取り出し側の補強用板材４の端縁はテーパ形状でなくとも何ら箱状体ａの載置・取り出し作業に支障はない。
【００４７】
また、図中，符号９は、前記板材１の天板部３に載置若しくは前記収納空間ｓ内に配設して収納する箱状体ａの内容物を表記する名札など、表示物をヒモやチェーンなどの長尺体により垂れ下げ配設するための取付貫通孔９であり、前記補強用板材４及び板材１の天板部３に貫通状態に穿設したものである。
【００４８】
また、本実施例では、板材１の脚板部２の外側面にして前記両端側に上下方向に両面テープ10を貼設しており、よって、例えば、この両面テープ10の粘着面を保護する保護フィルムを剥離して、板材１の前記両面テープ10を貼設したいずれか一方の脚板部２と、この板材１とは異なる他の板材１の左右いずれか他方の脚板部２とを互いに板面を対向させて前記両面テープ10により貼り合わせ（張り合わせ）状態に着脱自在に止着固定できる止着固定手段Ｔとして前記両面テープ10を構成している。
【００４９】
従って、例えば両面テープ10（止着固定手段Ｔ）によってコ字状の板材１の脚板部２同志を対向状態に止着固定することで、コ字状の板材１が左右方向に並設配設されるように構成することも簡単に可能である。
【００５０】
また、例えば図５に図示したように、コ字状の板材１の脚板部２同志を互いに対向させて張り合わせ状態に止着ピン11で脱着不能に止着固定しても良い。また、このように次々と板材１の脚板部２同志を止着固定して左右に二体以上の複数体のコ字状の板材１が連設されるように構成しても良いが、コ字状の板体１を図５のように二体連設するのみとした場合には、図６に図示したように、この二体の板体１を互いに脚板部２を止着固定して連設した状態のまま扁平状へと折り広げ変形が容易に可能であるため、互いに脚板部２を止着固定して板体１同志を脱着不能に止着固定するのは二体までが運搬性上望ましい（尚、上記両面テープ10で互いに脚板部２を止着固定して板材１同志を連設する場合、板材１の運搬時には互いに連設しておかずに、使用場所までの運搬が完了した後にコ字状の板材１を二体以上の複数体連設するといったことができ便利である。
【００５１】
尚、図中，符号12は、このコ字状の板材１と設置面とで囲繞する前記収納空間ｓに箱状体ａを出し入れする際にこの板材１の脚板部２の端縁で作業者の手ななどが負傷することを阻止すべくこの脚板部２の端縁（出し入れする手前側の端縁）に貼設する保護カバー12である。
【００５２】
以上のように構成した本実施例に係る収納具は、図７及び図８に図示したように、縦材６間に架設される横材７上に箱状体ａを載置して収納する箱状体収納棚に用いるものである。
【００５３】
具体的には、図７に図示したように、縦材６間に架設される棚板としての横材７上に、コ字状に折り曲げ変形した板材１を設置する。そして、このコ字状の板材１の収納空間ｓに箱状体ａを収納配設し、且つこのコ字状の板材１の天板部３上に箱状体ａを載置配設できることから、一段の棚板（横材７）に対して上下二段に箱状体ａを収納できることとなる。当然、この一段の棚板（横材７）に本実施例により上下二段に収納された箱状体ａは、単に箱状体ａ同志を横材７上に上下に段積みしたものではない為、下段の箱状体ａに上段の箱状体ａの荷重が付加するといった事態や、下段の箱状体ａだけを取り出すのが難しいといった事態は生ぜず、二段の棚板に箱状体ａを上下二段に収納したと同様の良好な収納を、一段の棚板（横材７）で可能とするものである。
【００５４】
よって、本実施例を用いることで、図８に図示したように、一段の棚板（横材７）に対して上下二段に箱状体ａを収納できるぶん、それだけ横材７の架設数が少なく済むことと成る。
【００５５】
ここで、本実施例の板材１を構成するプラスチック段ボールは、一般的に市販されているものを採用しており、その厚みは精々５ｍｍ程度であり、また、この板材１の天板部３に付設するコ字状の補強用板部４の板厚も１．５ｍｍ程度であり、よってこの板材３の天部材３とこのコ字状の補強用板部４の対向するコ字片板の厚みを総計しても１ｃｍに満たない程度の厚みとなるように本実施例を構成している。これに対し、箱状体収納棚の棚板（横材７）は、撓み変形が起こり得ぬように十分な強度を確保すべくその厚みは１ｃｍよりかなり厚い設計である。
【００５６】
従って、前述したように、本実施例を横材７に設置してこの横材７に上下二段に箱状体ａを収納できるようにし、替わりに横材７を一段省くことにより、この不要となった横材７の厚みのぶんだけ、上下方向に余分の収納スペースを確保できることとなる。本実施例を用いれば、多段な箱状体収納棚においてその余分となった横材７のぶんだけこの余分の収納スペースが多数生じ、これにより例えば図８（ｂ）のように、限られた上下スペースの空間に箱状体収納棚を設置した場合に、最上段にデッドスペース（箱状体ａを載置できない余りの収納スペース）が生じてしまっていた場合においても、本実施例を用いて収納棚から横材７を何体か省き、余分の収納スペースを確保することによって、最上段のデッドスペースを上下に拡張し、ひいては、箱状体ａを収納するに足りなかったこのデッドスペースに箱状体ａが収納できる（即ち、収納段数を一段余分に確保できる）といったことも実現可能なものである。
【００５７】
以上、本実施例は、コ字状の板体１により箱状体ａを上下二段に良好に収納若しくは載置でき、例えば前述したような箱状体収納棚の収納効率の向上に貢献することも可能な秀れた収納性を有し、しかも、コ字状に折り曲げた状態から扁平状に折り広げ変形することも容易で運搬性に秀れ、またプラスチック段ボールを用いた簡易構造故に、コスト安にして量産性に秀れるなど、秀れた実用性を有する画期的で商品価値の高いものとなる。
【００５８】
尚、本発明は、本実施例に限られるものではなく、各構成要件の具体的構成は適宜設計し得るものである。
【図面の簡単な説明】
【００５９】
【図１】本実施例に係る収納具の説明斜視図である。
【図２】本実施例に係る収納具の要部拡大説明図である。
【図３】本実施例に係る収納具の要部拡大説明図である。
【図４】本実施例に係る収納具の説明側断面図である。
【図５】本実施例に係る収納具の説明斜視図である。
【図６】本実施例に係る収納具の説明正面図である。
【図７】本実施例に係る箱状体収納棚の説明正面図である。
【図８】本実施例に係る箱状体収納棚と従来例との比較参考図である。
【符号の説明】
【００６０】
１  板材
２  脚板部
３  天板部
４  補強用板材
５  折り縁
６  縦材
７  横材
Ｔ  止着固定手段
ａ  箱状体
ｓ  収納空間
【図１】
2008155919.tif 000003
【図２】
2008155919.tif 000004
【図３】
2008155919.tif 000005
【図４】
2008155919.tif 000006
【図５】
2008155919.tif 000007
【図６】
2008155919.tif 000008
【図７】
2008155919.tif 000009
【図８】
2008155919.tif 000010